(57)【要約】      （修正有）【課題】カッターや破砕機などの大掛かりな機器を用意する必要がなく、作業期間を大幅に短くでき、交通渋滞や交通安全などの問題も軽微で済み、雨水の水はけがスムーズになり、目地処理を行わないで済む、コンクリート側溝等に脱着できる縁石ブロックを提供する。【解決手段】四角柱形状の縁石ブロック１の底部に、縁石ブロックと一体になった四角柱形状の足部３を２以上設け、四角柱形状の縁石ブロックの上部から四角柱形状の足部の底部の中央に通じる孔５を設け、孔の内部にボルト１３の座金が当たる段差を設けてナット１２が設けられているコンクリート側溝８に脱着できるようにする。【選択図】図５
0003186328.tif 000002
【実用新案登録請求の範囲】
【請求項１】
断面が台形の形状のコンクリート縁石ブロックの底部に、縁石ブロックと一体になった多角柱形状の足部を２以上設け、断面が台形の形状のコンクリート縁石ブロックの上部から多角柱形状の足部の底部の中央に通じる孔を設け、孔の内部にボルトの座金が留まる段差をつけ、コンクリート側溝あるいは蓋に脱着できる着脱式縁石ブロック。
【請求項２】
側溝あるいは蓋の上面に長ナット等の金具、穴等を２箇所以上設け、穴を設ける位置については縁石ブロックの長さ方向の直線上とし、内部にナットを設けるコンクリート側溝。
【請求項３】
縁石ブロックの底面に開口部を設け、開口部を長さ方向にスリムに開口し、排水をスムーズにしたことを特徴とする請求項１に記載の着脱式縁石ブロック。
【請求項４】
縁石ブロックをボルトで固定するため、縁石ブロック間の目地詰めを不要とし、コスト削減をしたことを特徴とする請求項１に記載の着脱式縁石ブロック。
【考案の詳細な説明】
【技術分野】
【０００１】  この考案は、車道と歩道の境界に使用する脱着式の縁石ブロックに関するものである。
【背景技術】
【０００２】  従来は、図１に示すように、縁石とコンクリート側溝等は一体、又は接着されてあった。
（例えば特許文献１）
【先行技術文献】
【特許文献】
【０００３】
【特許文献１】  特開２００１−２０７４２０号公報
【考案の概要】
【考案が解決しようとする課題】
【０００４】  前述の従来の技術においては、図２に示すように、車道と空き地の間には、縁石が一体になっているコンクリート側溝等と歩道が設けられている。
空き地に建物などが建設される場合、車両が車道と空き地を出入りするため、縁石を取り除かねばならなくなる。
しかし、縁石を取り除くには次のような欠点があった。
（１）縁石とコンクリート側溝等は一体になっているため、縁石をコンクリート側溝等から切り取るか、縁石を砕くなどするため、カッターや破砕機などの大掛かりな機器を使用しなければならない。
（２）カッターや破砕機などの大掛かりな機器を用意しなければならないため、車道や歩道を片側ないし全面を通行止めにしてしたりするので、交通渋滞や交通安全などの問題が生じる。
これらの欠点を解決するために、図３に示すような、コンクリート側溝等に脱着できる縁石ブロックを考案した。
【課題を解決するための手段】
【０００５】  まず本考案の第１の実施態様について説明する。
形状が四角柱の縁石ブロックの底部に、縁石ブロックと一体になった形状が四角柱の足部を２以上設け形状が四角柱の縁石ブロックの上面から形状が四角柱の足部の底部の中央に通じる孔を設け孔の内部にボルトの座金が当たる段差を設けて縁石の固定を図る構成になっているコンクリート側溝等に脱着できる縁石ブロックである。【０００６】  次に本考案の第２の実施態様について説明する。
コンクリート側溝８の上面に穴を２以上設け、穴を設け穴を設ける位置は、四角形状を成す上面の長手方向で排水路に沿う直線上であり穴の内部にナットを設ける構成になっている、請求項１の縁石ブロックを取り付けることができるコンクリート側溝等である。【０００７】  次に本考案の第３の実施態様について説明する。
縁石ブロック底面の開口部であるが従来型は部分的な開口であったが脱着型では開口部を長さ方向にスリムに開口し排水をスムーズにした。【０００８】  次に本考案の第４の実施態様について説明する。
従来縁石ブロックは施工後に、縁石ブロック間に固定のため、モルタル目地を施したが、脱着型ではボルトによって縁石ブロックを固定するため、縁石ブロック間の目地詰めが不要のため大幅なコスト削減を実施した。
【考案の効果】
【０００９】  本考案によって、次の効果が得られる。
（１）縁石ブロックとコンクリート側溝等はボルトで固定されるので、縁石ブロックをコンクリート側溝等をコンクリート側溝等から取り外すには、ボルトを緩めて抜き取れば済む。
このため、カッターや破砕機などの大掛かりな機器を用意する必要がなくなり、工事経費を削減できる。
（２）縁石ブロックをコンクリート側溝等から取り外すには、ボルトで固定されるので、縁石ブロックをコンクリー側溝等から取り外すには、ボルトを緩めて抜き取れば済むので、カッターや破砕機などの大掛かりな機器などを使用したときに比べ、作業時間を大幅に短くできるので、工事経費を削減できる。
（３）カッターや破砕機などの大掛かりな機器を用意しないので、作業時間を大幅に短くできるから、車道や歩道の片側ないし全面を通行止めにする時間も大幅に短くでき、交通渋滞や交通安全などの問題も軽微で済むようになる。
（４）縁石ブロック１とコンクリート側溝等が分離してあるため、従来の一体であるときに比べ、コンクリート側溝等の縁石による出っ張りを気にしないで済み、自動車への積載が楽になり、積載も安定し、搬送しやすくなる。
（５）縁石ブロック１とコンクリート側溝等をボルトで固定すると、四角柱形状の足部があるため、縁石ブロックとコンクリート側溝等の間に隙間２０ミリが生じる。
この間隔２０ミリは、歩道に溜まる雨水の水はけの役割をすることになる。
このため、従来の縁石とコンクリート側溝等が一体のときに縁石の下部中央部に設けていた排水口（図示しない）が必要なくなる。
（６）本考案は、従来の縁石とコンクリート側溝等が一体のときに埋設した後に行う、縁石と縁石の間に生じる隙間をそのままにする。このため目地処理は行わないので工事費用を削減できる。
【図面の簡単な説明】
【００１０】
【図１】従来の縁石が一体になっているコンクリート側溝等の側面断面図である。
【図２】縁石とコンクリート側溝が道路に埋設されていることを示す平面図である。
【図３】縁石ブロック１の正面断面図である。
【図４】縁石ブロック１をコンクリート側溝に取り付けようとする側面断面図である。
【図５】縁石ブロックをコンクリート側溝に取り付けた正面図である。
【図６】縁石ブロック１とコンクリート側溝が道路に埋設されていることを示す平面図であり、縁石ブロックを外したものが中央のコンクリート側溝である。
【図７】縁石の取り外した場合の断面図である。
【図８】水抜き部の改良図の正面図である。
【図９】目地詰めの説明図である。
【考案を実施するための形態】
【００１１】  次に本考案を実施するための一つの形態を説明する。
まず断面が台形の形状の縁石ブロック１の底部２に、縁石ブロックと１一体になった四角柱形状の足部３を２以上設けることについて図３、図４、図５にもとづき説明する。
縁石ブロック１の底部２に、足部３を設けると、設けない場合に比べ、コンクリート側溝等８の上面１０との安定が増すためである。
四角柱形状の足部３を２ヶ所設ける場合は、底部２の長手方向の両端に近いところがよい。
四角柱形状の足部３を３ヶ所設ける場合は、底部２の長手方向の両端に近いところと底部２の中央部がよい。
足部３の形状は四角柱形状が一般的であるが、コンクリート側溝８の形状や用途に応じて、四角柱形状以外の多角形状や円柱形上や楕円形状にしてもよい。
【００１２】  四角柱形状の足部３の設け方であるが、強度の面から考えると、縁石ブロック１と一体にして四角柱形状の足部を製造することが望ましい。
【００１３】  接着剤を使用する方法もあり、縁石ブロック１と四角柱形状の足部３を別々に製造して、それらを接着剤で取り付ける方法である。
【００１４】  次に、四角柱形状の縁石ブロック１の上部４から四角柱形状の足部３の底部２の中央に通じる孔５を設けることと、孔５の内部にナット１２を埋め込むことについて説明する。
縁石ブロック１をコンクリート側溝等８に備え付けたり外したりする方法として本考案は、ボルト１３を使用する。
それは、備え付けたり外したりする作業の簡便さと、縁石ブロック１とコンクリート側溝等８の結合の強度を得るためのものである。
縁石ブロック１とコンクリート側溝等８の結合に接着剤を使用する方法もあるが、接着剤を剥がす手間がかかるのと強度の面から好ましいとはいえない。
【００１５】  次にコンクリート側溝等８の上面１０に穴１１を２以上設けることについて説明する。
本実施例は、前述の縁石ブロック１を取り付けるコンクリート側溝等８である。そのため当然ながら、縁石ブロック１に２ヶ所の穴１１を設ければ、コンクリート側溝等８の穴も２ヶ所設ける必要がある。縁石ブロック１に３ヶ所の孔を設ければコンクリート側溝等８の穴も３ヶ所設ける必要がある。
【００１６】  穴１１を設ける位置は、コンクリート側溝等８の上面１０の長手方向で排水路に沿う直線上であることについて説明する。コンクリート側溝等８の形状は色々あるが、四角柱形状が一般的であり、その上面１０は四角形状をを成す。
縁石ブロック１を道路に埋設する場合、図２、図４、図６で示すように、縁石ブロック１はコンクリート側溝等８の上面１０の歩道側に設ける。そして、その設計位置は図４の上面１０の長手方向で排水路９に沿う直線状にする。要するに、縁石ブロック１の孔５と対応する位置である。
ただ、コンクリート側溝等８によっては、上面１０の長手方向で排水路９に沿うようにスリット（図示しない）が設けられているものもあるので、スリットを避けて縁石ブロック１が設置しやすい位置に穴１１を設けることになる。
【００１７】  穴１１の内部にナット１２を設けることについて説明する。
本考案のコンクリート側溝等８は前述の縁石ブロック１を取り付けるものであるから、孔５と対応する位置に穴１１を設け、穴１１の内部にナット部を設ける。
【符号の説明】
【００１８】１  縁石ブロック
２  底部
３  足部
４  上部
５  孔
６  雌ねじ部
７  足部の底部
８  コンクリート側溝等
９  排水路
１０  上面
１１  穴
１２  ナット
１３  ボルト
１４  縁石
１５  目地部
１６  車道
１７  歩道
１８  空き地
１９  車両
２０  隙間
２１  開口部
【図１】
0003186328.tif 000003
【図２】
0003186328.tif 000004
【図３】
0003186328.tif 000005
【図４】
0003186328.tif 000006
【図５】
0003186328.tif 000007
【図６】
0003186328.tif 000008
【図７】
0003186328.tif 000009
【図８】
0003186328.tif 000010
【図９】
0003186328.tif 000011